(57)【要約】【課題】ドップラーシフトの補償精度が低下することなく、かつ、復調器の入力数に制限されることなく、ＯＦＤＭ信号の移動受信が可能な移動受信装置を提供する。【解決手段】地上デジタル放送の移動受信装置１は、固定の指向性パターンを複数個用意し、それぞれの指向性パターンから得られる合成信号のドップラーシフトを補償した後に、その信号のMER（変調誤差比：Modulation Error Ratio）値の大きいものから複数個選択して最大比合成を行う。これにより、移動受信特性の改善を図ることができる。【選択図】図１
2008042855.tif 000002
【特許請求の範囲】
【請求項１】
ＯＦＤＭ信号を受信する移動受信装置において、
複数の到来波を受信する複数のアンテナ部と、
前記到来波の受信信号を復調してＩＱ信号を得る直交復調部と、
前記ＩＱ信号に複数の固定指向性パターンに応じた各重み係数を複素乗算して得られる各合成信号を計算する重み係数乗算部と、
前記各合成信号から、ドップラー周波数を推定してドップラーシフトを補償するＡＦＣ（自動周波数制御：Auto Frequency Control）部と、
前記ドップラーシフトが補償されたＡＦＣ部の各出力信号のＭＥＲ（変調誤差比：Modulation Error Ratio）を測定するＭＥＲ測定部と、
前記各ＭＥＲ値のうちの、最大値から順に予め設定された数分のＭＥＲ値を選択し、それぞれのＭＥＲ値に対応した等化前のデータ信号、及び、ＳＰ（スキャッタードパイロット：Scatterd Pilot）から求めた伝送路特性を選択する信号選択部と、
前記選択された伝送路特性を用いて重み係数を計算し、前記選択された等化前のデータ信号に重み係数を複素乗算して合成するキャリア合成ダイバーシティ部と、
前記合成されたデータ信号に対してデマッピングを行うデマッピング部と
を備えたことを特徴とする移動受信装置。
【請求項２】
請求項１に記載の移動受信装置において、
前記ＭＥＲ測定部が、ドップラーシフトが補償されたＡＦＣ部の各出力信号のＭＥＲをキャリア毎に測定し、
前記信号選択部が、キャリア毎に、各ＭＥＲ値のうちの、最大値から順に予め設定された数分のＭＥＲ値を選択し、それぞれのＭＥＲ値に対応した等化前のデータ信号、及び、ＳＰから求めた伝送路特性を選択することを特徴とする移動受信装置。
【請求項３】
請求項１に記載の移動受信装置において、
前記ＭＥＲ測定部が、ドップラーシフトが補償されたＡＦＣ部の各出力信号のＭＥＲを複数キャリアを単位とするグループ（グループキャリア）毎に測定し、
前記信号選択部が、グループキャリア毎に、各ＭＥＲ値のうちの、最大値から順に予め設定された数分のＭＥＲ値を選択し、それぞれのＭＥＲ値に対応した等化前のデータ信号、及び、ＳＰから求めた伝送路特性を選択することを特徴とする移動受信装置。
【請求項４】
請求項１に記載の移動受信装置において、
前記ＭＥＲ測定部が、受信信号であるＯＦＤＭ信号の周波数方向に１サブキャリアから全帯域のキャリアまでのうちの、１キャリア毎または複数キャリア毎に、及び、受信信号であるＯＦＤＭ信号の時間方向に１シンボル毎または複数シンボル毎に、ＭＥＲを測定し、
前記信号選択部が、前記キャリア毎及びシンボル毎に、各ＭＥＲ値のうちの、最大値から順に予め設定された数分のＭＥＲ値を選択し、それぞれのＭＥＲ値に対応した等化前のデータ信号、及び、ＳＰから求めた伝送路特性を選択することを特徴とする移動受信装置。
【請求項５】
請求項１から４までのいずれか一項に記載の移動受信装置において、
前記キャリア合成ダイバーシティ部が、
ＲＬＳ（逐次最小自乗法：Recursive Least Squares）アルゴリズムを用いて重み係数を更新するキャリア合成ダイバーシティ部であって、
前記ＲＬＳアルゴリズムを用いてＳＰ重み係数を更新するＳＰ重み係数更新部と、
前記ＳＰ重み係数と、ＡＦＣ部の各出力信号から抽出したＳＰのうち、前記信号選択部により選択されたＳＰ信号とを複素乗算する第１の複素乗算部と、
送信側で既知のＳＰ信号を発生するＳＰ発生部と、
前記既知のＳＰ信号と第１の複素乗算部により複素乗算されたＳＰ信号との誤差を算出し、前記ＳＰ重み係数更新部に、前記誤差を用いてＳＰ重み係数を更新させる誤差計算部と、
前記第１の複素乗算部により複素乗算されたＳＰ信号に対し、時間方向に内挿処理を行うシンボルフィルタ部と、
前記シンボルフィルタ部の出力信号に対し、周波数方向に内挿処理を行うキャリアフィルタ部と、
前記信号選択部により選択された等化前のデータ信号に重み係数を複素乗算する第２の複素乗算部と、
前記第２の複素乗算部により複素乗算された各信号を加算する加算部と
を備えたことを特徴とする移動受信装置。
【発明の詳細な説明】
【技術分野】
【０００１】
本発明は、ＯＦＤＭ（Orthogonal Frequency Division Multiplexing）方式を採用するデジタル放送やデジタル伝送分野の受信技術に係わり、特に、デジタル放送や無線ＬＡＮ（Local Area Network）などの電波を受信する際に発生するマルチパスフェージングの影響や干渉波の影響を除去するためのアダプティブアレーアンテナ技術及びダイバーシティ合成技術に関する。
【背景技術】
【０００２】
従来のアダプティブアレーアンテナ技術及びダイバーシティ合成技術として、例えば特許文献１及び非特許文献１に記載のものがある。特許文献１には、固定の指向性パターンを複数個用意し、それぞれの指向性パターンから得られる合成信号のドップラーシフトを補償した後、その信号レベルが大きいものから複数個選択して最大比合成を行う手法が提案されている。また、非特許文献１には、固定の指向性パターンを複数個用意し、それぞれの指向性パターンから得られる合成信号のドップラーシフトを補償した後、それら全ての信号を用いて最大比合成を行う手法が提案されている。
【０００３】
【特許文献１】特開平９−１９９９２７号公報
【非特許文献１】Pubudu Sampath WIJESENA、Yoshio KARASAWA、“Beam-Space Adaptive Array Antenna for Suppressing the Doppler Spred in OFDM Mobile Reception”、IEICE TRANS．COMMUN.,VOL.E87-B,NO.1 Jan.2004．
【発明の開示】
【発明が解決しようとする課題】
【０００４】
しかしながら、前述の特許文献１の手法では、信号レベルを選択して最大比合成を行うことから、所望波と不要波の間のレベル差を得ることができず、ドップラーシフトの補償精度が低下して特性が悪くなる場合が想定される。このため、必ずしも移動受信特性を改善することができるとは限らないという問題があった。
【０００５】
また、前述の非特許文献１では、全ての合成信号を使用して最大比合成を行うことから、復調器の入力数が指向性パターン数に応じて増加することとなり、復調器の入力数に制限がある場合には対応することができないという問題があった。
【０００６】
そこで、本願発明はかかる課題を解決するためになされたものであり、その目的は、ドップラーシフトの補償精度が低下することなく、かつ、復調器の入力数に制限されることなく、ＯＦＤＭ信号の移動受信が可能な移動受信装置を提供することにある。
【課題を解決するための手段】
【０００７】
上記課題を解決する手段として、本発明による移動受信装置は、固定の指向性パターンを複数個用意し、それぞれの指向性パターンから得られる合成信号のドップラーシフトを補償した後、その信号のＭＥＲ（変調誤差比：Modulation Error Ratio）値の大きいものから複数個選択して最大比合成を行うことにより、移動受信特性の改善を図るものである。
【０００８】
すなわち、本発明による移動受信装置は、ＯＦＤＭ信号を受信する移動受信装置において、複数の到来波を受信する複数のアンテナ部と、前記到来波の受信信号を復調してＩＱ信号を得る直交復調部と、前記ＩＱ信号に複数の固定指向性パターンに応じた各重み係数を複素乗算して得られる各合成信号を計算する重み係数乗算部と、前記各合成信号から、ドップラー周波数を推定してドップラーシフトを補償するＡＦＣ（自動周波数制御：Auto Frequency Control）部と、前記ドップラーシフトが補償されたＡＦＣ部の各出力信号のＭＥＲ（変調誤差比：Modulation Error Ratio）を測定するＭＥＲ測定部と、前記各ＭＥＲ値のうちの、最大値から順に予め設定された数分のＭＥＲ値を選択し、それぞれのＭＥＲ値に対応した等化前のデータ信号、及び、ＳＰ（スキャッタードパイロット：Scatterd Pilot）から求めた伝送路特性を選択する信号選択部と、前記選択された伝送路特性を用いて重み係数を計算し、前記選択された等化前のデータ信号に重み係数を複素乗算して合成するキャリア合成ダイバーシティ部と、前記合成されたデータ信号に対してデマッピングを行うデマッピング部とを備えたことを特徴とする。
【０００９】
また、本発明による移動受信装置は、前記ＭＥＲ測定部が、ドップラーシフトが補償されたＡＦＣ部の各出力信号のＭＥＲをキャリア毎に測定し、前記信号選択部が、キャリア毎に、各ＭＥＲ値のうちの、最大値から順に予め設定された数分のＭＥＲ値を選択し、それぞれのＭＥＲ値に対応した等化前のデータ信号、及び、ＳＰから求めた伝送路特性を選択することを特徴とする。
【００１０】
また、本発明による移動受信装置は、前記ＭＥＲ測定部が、ドップラーシフトが補償されたＡＦＣ部の各出力信号のＭＥＲを複数キャリアを単位とするのグループ（グループキャリア）毎に測定し、前記信号選択部が、グループキャリア毎に、各ＭＥＲ値のうちの、最大値から順に予め設定された数分のＭＥＲ値を選択し、それぞれのＭＥＲ値に対応した等化前のデータ信号、及び、ＳＰから求めた伝送路特性を選択することを特徴とする。
【００１１】
また、本発明による移動受信装置は、前記ＭＥＲ測定部が、受信信号であるＯＦＤＭ信号の周波数方向に１サブキャリアから全帯域のキャリアまでのうちの、１キャリア毎または複数キャリア毎に、及び、受信信号であるＯＦＤＭ信号の時間方向に１シンボル毎または複数シンボル毎に、ＭＥＲを測定し、前記信号選択部が、前記キャリア毎及びシンボル毎に、各ＭＥＲ値のうちの、最大値から順に予め設定された数分のＭＥＲ値を選択し、それぞれのＭＥＲ値に対応した等化前のデータ信号、及び、ＳＰから求めた伝送路特性を選択することを特徴とする。
【００１２】
また、本発明による移動受信装置は、前記キャリア合成ダイバーシティ部が、ＲＬＳ（逐次最小自乗法：Recursive Least Squares）アルゴリズムを用いて重み係数を更新するキャリア合成ダイバーシティ部であって、前記ＲＬＳアルゴリズムを用いてＳＰ重み係数を更新するＳＰ重み係数更新部と、前記ＳＰ重み係数と、ＡＦＣ部の各出力信号から抽出したＳＰのうち、前記信号選択部により選択されたＳＰ信号とを複素乗算する第１の複素乗算部と、送信側で既知のＳＰ信号を発生するＳＰ発生部と、前記既知のＳＰ信号と第１の複素乗算部により複素乗算されたＳＰ信号との誤差を算出し、前記ＳＰ重み係数更新部に、前記誤差を用いてＳＰ重み係数を更新させる誤差計算部と、前記第１の複素乗算部により複素乗算されたＳＰ信号に対し、時間方向に内挿処理を行うシンボルフィルタ部と、前記シンボルフィルタ部の出力信号に対し、周波数方向に内挿処理を行うキャリアフィルタ部と、前記信号選択部により選択された等化前のデータ信号に重み係数を複素乗算する第２の複素乗算部と、前記第２の複素乗算部により複素乗算された各信号を加算する加算部とを備えたことを特徴とする。
【発明の効果】
【００１３】
本発明による移動受信装置によれば、ＭＥＲ値の大きいものから複数個の信号を選択し、選択した信号に対して最大比合成するようにした。これにより、ドップラーシフトの補償精度が低下することがない。また、本発明による移動受信装置では、直交変換部における受信信号の入力数に相当する数の信号の中で、ＭＥＲ値の大きいものを順番に複数個選択し、最大比合成するようにしたから、直交復調部における受信信号の入力数に制限されることなく移動受信を実現することができる。したがって、ＯＦＤＭ信号を受信する際の移動受信特性の改善を図ることが可能となる。
【発明を実施するための最良の形態】
【００１４】
以下、本発明を実施するための最良の形態について図面を用いて詳細に説明する。
〔実施例１〕
まず、実施例１について説明する。図１は、本発明の移動受信装置における実施例１のシステム構成を示す図である。この移動受信装置１は、アンテナ部１０、直交復調部２０、重み係数乗算部３０、ＡＦＣ（Auto Frequency Control：自動周波数制御）部４０、ＭＥＲ測定部５０、信号選択部６０−１、キャリア合成ダイバーシティ部７０−１及びデマッピング部８０から構成される。ＡＦＣ部４０はｎ個のＡＦＣ部から成るが、個々のＡＦＣ部は同一の構成であるため、以下、個々のＡＦＣ部もＡＦＣ部４０と称して説明する。ＭＥＲ測定部５０についても同様である。
【００１５】
アンテナ部１０は、各種形状（線形アレー、長方形アレー、円形アレーなど）で配置されるＫ個のアンテナで構成され、それぞれのアンテナで複数の到来波を受信し、各出力信号（RF1,RF2，・・・,RFK）が直交復調部２０に送られる。
【００１６】
直交復調部２０は、受信信号を復調してＩＱ信号を生成する機能を有する。図２は、図１に示した直交復調部２０の構成を示す図である。この直交復調部２０は、Ｋ個のＢＰＦ（Band Pass Filter）から成るＢＰＦ部２１、共通ローカル信号発生部２２、分配部２３、Ｋ個の検波器から成る直交検波部２４、及び、Ｋ個のＬＰＦ（Low Pass Filter）から成るＬＰＦ部２５から構成される。
【００１７】
直交復調部２０において、アンテナ部１０からの各出力信号(RF1,RF2，・・・,RFK)は、ＢＰＦ部２１を通過する。また、共通ローカル信号は、共通ローカル信号発生部２２から発生して分配部２３によりＫ個に等分配される。直交検波部２４は、ＢＰＦ部２１を通過した信号に、分配部２３により等分配された共通ローカル信号を乗算し（直交復調し）、設置されたアンテナ本数分（Ｋ個）の複素ベースバンドＩＱ信号を得る。そして、複素ベースバンドＩＱ信号は、ＬＰＦ部２５により帯域制限が行われ、各出力信号（EL1,EL2，・・・,ELK）が重み係数乗算部３０に送られる。
【００１８】
重み係数乗算部３０は、複数の固定指向性パターンによって得られる各合成信号を計算する機能を有する。図３は、図１に示した重み係数乗算部３０の構成を示す図である。この重み係数乗算部３０は、ｎ個の指向性パターンを有する重み係数部３１、Ｋ×ｎ個の乗算器から成る乗算部３２、及び、ｎ個の加算器から成る加算部３３から構成される。
【００１９】
重み係数乗算部３０において、乗算部３２は、直交復調部２０からの各出力信号（EL1,EL2，・・・,ELK）に、重み係数部３１からのｎ個の指向性パターンに応じた各重み係数（W11,W12,・・・,W1K），（W21,W22,・・・,W2K），・・・，（Wn1,Wn2,・・・,WnK）を複素乗算する。加算部３３は、重み係数部３１の各素子に対応する複素乗算されたＫ個の信号を加算し、各出力信号（BP1,BP2,・・・,BPn）がＡＦＣ部４０に送られる。
【００２０】
ＡＦＣ部４０は、各指向性パターンによって到来波を分離受信した後、ドップラー周波数を推定する機能を有する。図４は、図１に示したＡＦＣ部４０の構成を示す図である。なお、ＡＦＣ部によるドップラー周波数を推定する手法には多くがあるが、ここではその一例を説明する。このＡＦＣ部４０は、有効シンボル長遅延部４１，４２、乗算部４３，４４、移動平均部４５，４６、ドップラー周波数計算部４７、及び周波数ずれ補正部４８から構成される。
【００２１】
ＡＦＣ部４０において、乗算部４３は、重み係数乗算部３０からの出力信号のＩ軸データに、有効シンボル長遅延部４１により有効シンボル期間だけ遅延されたＩ軸データを乗算する（相関をとる）。移動平均部４５は、乗算部４３により乗算された信号に対しガードインターバル期間分の移動平均をとり、信号Ｓii（i）を生成し、ドップラー周波数計算部４７に送る。また、乗算部４４は、重み係数乗算部３０からの出力信号のＩ軸データに、有効シンボル長遅延部４２により有効シンボル期間だけ遅延されたＱ軸データを乗算する（相関をとる）。移動平均部４６は、乗算部４４により乗算された信号に対しガードインターバル期間分の移動平均をとり、信号Ｓiq（i）を生成し、ドップラー周波数計算部４７に送る。ドップラー周波数計算部４７は、信号Ｓii（i），Ｓiq（i）により、図４中の式を用いて、１シンボル毎にドップラー周波数を計算する。周波数ずれ補正部４８は、ドップラー周波数計算部４７により計算された１シンボル毎のドップラー周波数を用いて、重み係数乗算部３０からの出力信号のドップラー周波数分の周波数ずれを、例えば周波数オフセット回路により補正する。ＡＦＣ部４０は、これら同様な処理を、指向性パターン数に対応するｎ個分行い、ドップラーシフトが補償された各出力信号（AFC1,AFC2，・・・,AFCn）がＭＥＲ測定部５０に送られる。
【００２２】
ＭＥＲ測定部５０は、ＡＦＣ部４０からのドップラーシフトが補償された各出力信号（AFC1,AFC2，・・・,AFCn）のＭＥＲを測定する機能を有する。図５は、図１に示したＭＥＲ測定部５０の構成を示す図である。このＭＥＲ測定部５０は、ＦＦＴ（Fast Fourier Transform）部５１、ＳＰ（Scatterd Pilot：スキャッタードパイロット）抽出部５２、ＳＰ発生部５３、ＳＰ複素除算部５４、シンボルフィルタ部５５、キャリアフィルタ部５６、複素除算部５７、及びＭＥＲ計算部５８から構成される。
【００２３】
ＭＥＲ測定部５０において、ＳＰ抽出部５２は、ＡＦＣ部４０からのドップラーシフトが補償された出力信号がＦＦＴ部５１によりＦＦＴされた後、データ信号からＳＰを抽出する。ＳＰ複素除算部５４は、ＳＰ抽出部５２により抽出されたＳＰを、ＳＰ発生部５３により発生した送信側の既知ＳＰで複素除算（ＳＰ複素除算）する。これにより、ＳＰの位置の伝達関数（振幅と位相）が求められる。時間方向のシンボルフィルタ部５５及び周波数方向のキャリアフィルタ部５６による２次元フィルタを用いて、ＳＰの位置の伝達関数（振幅と位相）により、帯域全体のデータキャリアも含む全キャリアの伝送路特性を推定する。複素除算部５７は、ＦＦＴ部５１によりＦＦＴされたデータ信号を、前記２次元フィルタを用いて推定された伝送路特性で等化（複素除算）する。ＭＥＲ計算部５８は、複素除算部５７により等化されたデータ信号を、図５中の式を用いて各キャリアのＭＥＲを算出する。
【００２４】
また、等化前のデータ信号、及びＳＰから求めた伝送路特性は、後述のキャリア合成ダイバーシティ部７０−１で使用するために、それぞれＭＥＲ−ＤＡＴＡ、ＭＥＲ−ＳＰとして出力される。ＭＥＲ測定部５０は、以上の同様な処理を指向性パターン数に対応するｎ個分行い、等化前のデータ信号（MER−DATA1,MER-DATA2，・・・,MER-DATAn）、ＳＰから求めた伝送路特性（MER-SP1，MER-SP2，・・・，MER-SPn）、及びＭＥＲ計算後のＭＥＲ値(MER1 (x,y)，MER2 (x,y)，・・・，MERn(x,y))の各出力信号が信号選択部６０−１に送られる。
【００２５】
ここで、MER(x，y)における周波数（キャリア）方向と時間（シンボル）方向のデータ配置について、図６を参照して説明する。MER(x,y)は、周波数方向ｘの分解能と時間方向ｙの分解能によって様々な値が得られる。地上デジタル放送における周波数方向のデータ総キャリア数をKcar本とすると、全帯域でＭＥＲを計算する場合はx＝Kcar、キャリア毎でＭＥＲを計算する場合はx＝1となる。全帯域でＭＥＲを計算する場合は、キャリア毎に計算したＭＥＲ値をKcar本加算する。一方、時間方向において１シンボル毎でＭＥＲを計算する場合はy=1、１０シンボル毎でＭＥＲを計算する場合はy=10となる。１０シンボル毎でＭＥＲを計算する場合は、１シンボル毎に計算したＭＥＲ値を１０シンボル分加算する。以上のように、移動受信環境に応じたｘ，ｙを設定することが可能である。
【００２６】
信号選択部６０−１は、ＭＥＲ測定部５０により測定された各ＭＥＲ値（MER(x,y)1,MER(x,y)2，・・・,MER(x，y)n）の最大値から順番に後述のキャリア合成ダイバーシティ部７０−１への入力数ｍ個まで選択し、そのMER(x,y)値に対応した等化前のデータ信号(MER-DATAl,MER-DATA2,・・・,MER-DATAn)、SPから求めた伝送路特性(MER-SPl，MER-SP2，・・・,MER-SPn)を選択する機能を有する。図７は、図１に示した信号選択部６０−１の構成を示す図である。この信号選択部６０−１は、MER(x,y)においてx＝Kcar（全帯域のデータキャリア数）の場合を示しており、ＭＥＲ判定部６１−１、信号選択部６２−１（MER-DATAを選択する部分）、及び信号選択部６３−１（MER-SPを選択する部分）から構成される。
【００２７】
信号選択部６０−１において、ＭＥＲ判定部６１−１は、各MER(x,y)値を入力し、ｙシンボル分のMER(x,y)値を加算した後に、最大値から順番にｎ個まで並び替え（ソート処理）を行い、並び替えたｎ個のうちのｍ個分を信号選択部６２−１，６３−１に出力する。信号選択部６２−１は、ｍ個のMER(x,y)値に対応する各データ信号を選択し、データ信号（MRC-DATAl,MRC-DATA2,・・・,MRC-DATAm）の各出力信号がキャリア合成ダイバーシティ部７０−１に送られる。また、信号選択部６３−１は、ｍ個のMER(x,y)値に対応する各ＳＰ信号を選択し、ＳＰ信号(MRC-SPl,MRC-SP2,・・・,MRC-SPm)の各出力信号がキャリア合成ダイバーシティ部７０−１に送られる。
【００２８】
キャリア合成ダイバーシティ部７０−１は、複数の信号から安定した信号を生成する機能を有する。図８は、図１に示したキャリア合成ダイバーシティ部７０−１の構成を示す図である。キャリア合成ダイバーシティ部７０−１は、ダイバーシティ用重み計算部７１−１、ｍ個の複素乗算部７２−１、及び加算部７３−１から構成される。
【００２９】
キャリア合成ダイバーシティ部７０−１において、ダイバーシティ用重み計算部７１−１は、各ＭＲＣ−ＳＰを入力し、図８中の式を用いて、キャリア合成ダイバーシティ数ｍ個分の重み係数を計算する。複素乗算部７２−１は、各入力信号（MRC-DATAl,MRC-DATA2,・・・,MRC-DATAm）に、ダイバーシティ用重み計算部７１−１によりＳＰの伝送路特性から計算された重み係数を複素乗算し、加算部７３−１は、複素乗算された信号を加算する。そして、デマッピング部８０が、キャリア合成ダイバーシティ部７０−１からの信号をデマッピングする（再割付してアナログ信号からデジタル信号を生成する）ことにより、出力信号（DATA）を得ることができる。
【００３０】
〔実施例２〕
次に、実施例２について説明する。この実施例２は、実施例１の全帯域の信号選択を、キャリア毎の信号選択に変更したものである。図９は、本発明の移動受信装置における実施例２の信号選択部６０−２の構成を示す図である。この実施例２の移動受信装置は、アンテナ部１０、直交復調部２０、重み係数乗算部３０、ＡＦＣ部４０、ＭＥＲ測定部５０、信号選択部６０−２、キャリア合成ダイバーシティ部７０−１及びデマッピング部８０から構成される。図１に示した実施例１の移動受信装置１と実施例２の移動受信装置とを比較すると、両装置とも、アンテナ部１０、直交復調部２０、重み係数乗算部３０、ＡＦＣ部４０、ＭＥＲ測定部５０、キャリア合成ダイバーシティ部７０−１及びデマッピング部８０を備えている点で同一であるが、実施例２の移動受信装置は、実施例１の信号選択部６０−１の代わりに信号選択部６０−２を備えている点で相違する。以下、実施例１と同一の部分の詳しい説明は省略する。この実施例２の信号選択部６０−２は、実施例1の信号選択部６０−１がMER(x,y)についてx＝Kcar（全帯域のデータキャリア数）の場合を示しているのに対し、全帯域ではなく、キャリア毎の場合を示している。
【００３１】
信号選択部６０−２は、ＭＥＲ測定部５０により測定された各MER値(MER(x,y)1,MER(x,y)2，・・・,MER(x，y)n)の最大値から順に後述のキャリア合成ダイバーシティ部７０−１への入力数m個まで選択し、そのMER(x,y)値に対応した等化前のデータ信号(MER-DATAl,MER-DATA2,・・・,MER-DATAn)、SPから求めた伝送路特性(MER-SPl，MER-SP2，・・・,MER-SPn)を選択する機能を有する。図９を参照して、この信号選択部６０−２は、MER(x,y)についてx＝1（キャリア）の場合を示しており、キャリア毎であるKcar個のＭＥＲ判定部６１−２、信号選択部６２−２（MER-DATAを選択する部分）、及び信号選択部６３−２（MER-SPを選択する部分）から構成される。
【００３２】
信号選択部６０−２において、ＭＥＲ判定部６１−２は、ｙシンボル分キャリア毎のMER(x,y)値を加算した後に、最大値から順番にｎ個まで並び替え（ソート処理）を行い、並び替えたｎ個のうちのｍ個分を信号選択部６２−２，６３−２に出力する。この処理は、キャリア総数に応じたKcar個全てに対して行われる。信号選択部６２−２は、ｍ個のMER(x,y)値に対応する各データ信号をキャリア毎（Kcar個のキャリア毎）に選択し、データ信号（MRC-DATAl,MRC-DATA2,・・・,MRC-DATAm）の各出力信号がキャリア合成ダイバーシティ部７０−１に送られる。また、信号選択部６３−２は、ｍ個のMER(x,y)値に対応する各ＳＰ信号をキャリア毎（Kcar個のキャリア毎）に選択し、ＳＰ信号(MRC-SPl,MRC-SP2,・・・,MRC-SPm)の各出力信号がキャリア合成ダイバーシティ部７０−１に送られる。
【００３３】
〔実施例３〕
次に、実施例３について説明する。この実施例３は、実施例１の全帯域の信号選択を、複数キャリアを単位とするグループ（グループキャリア）毎の信号選択に変更したものである。図１０は、本発明の移動受信装置における実施例３の信号選択部６０−３の構成を示す図である。この実施例３の移動受信装置は、アンテナ部１０、直交復調部２０、重み係数乗算部３０、ＡＦＣ部４０、ＭＥＲ測定部５０、信号選択部６０−３、キャリア合成ダイバーシティ部７０−１及びデマッピング部８０から構成される。図１に示した実施例１の移動受信装置１と実施例３の移動受信装置とを比較すると、両装置とも、アンテナ部１０、直交復調部２０、重み係数乗算部３０、ＡＦＣ部４０、ＭＥＲ測定部５０、キャリア合成ダイバーシティ部７０−１及びデマッピング部８０を備えている点で同一であるが、実施例３の移動受信装置は、実施例１の信号選択部６０−１の代わりに信号選択部６０−３を備えている点で相違する。以下、実施例１と同一の部分の詳しい説明は省略する。この実施例３の信号選択部６０−３は、実施例1の信号選択部６０−１がMER(x,y)についてx＝Kcar（全帯域のデータキャリア数）の場合を示しているのに対し、全帯域ではなく、グループキャリア毎の場合を示している。
【００３４】
信号選択部６０−３は、ＭＥＲ測定部５０により測定された各MER値(MER(x,y)1,MER(x,y)2，・・・,MER(x，y)n)の最大値から順番に後述のキャリア合成ダイバーシティ部７０−１への入力数ｍ個まで選択し、そのMER(x,y)値に対応した等化前のデータ信号(MER-DATAl,MER-DATA2,・・・,MER-DATAn)、ＳＰから求めた伝送路特性(MER-SPl，MER-SP2，・・・,MER-SPn)を選択する機能を有する。図１０を参照して、この信号選択部６０−３は、MER(x,y)においてx＝X（グループキャリア毎、ここで、X＝Kcar/Z、ZはKcarの素数）の場合を示しており、Ｘ個のＭＥＲ判定部６１−３、信号選択部６２−３（MER-DATAを選択する部分）、及び信号選択部６３−３（MER-SPを選択する部分）から構成される。
【００３５】
信号選択部６０−３において、ＭＥＲ判定部６１−３は、グループキャリア毎にｙシンボル分のMER(x,y)値を加算した後に、最大値から順番にｎ個まで並び替え（ソート処理）を行い、並び替えたｎ個のうちのｍ個分を信号選択部６２−３，６３−３に出力する。この処理は、グループ総数に応じたＸ個全てに対して行われる。信号選択部６２−３は、ｍ個のMER(x,y)値に対応する各データ信号をグループキャリア毎（Ｘ個のグループキャリア毎）に選択し、データ信号（MRC-DATAl,MRC-DATA2,・・・,MRC-DATAm）の各出力信号がキャリア合成ダイバーシティ部７０−１に送られる。また、信号選択部６３−３は、ｍ個のMER(x,y)値に対応する各ＳＰ信号をグループキャリア毎（Ｘ個のグループキャリア毎）に選択し、ＳＰ信号(MRC-SPl,MRC-SP2,・・・,MRC-SPm)の各出力信号がキャリア合成ダイバーシティ部７０−１に送られる。
【００３６】
〔実施例４〕
次に、実施例４について説明する。この実施例４は、ＲＬＳ（逐次最小自乗法：Recursive Least Squares）アルゴリズムを用いて重み係数を計算するものである。図１１は、本発明の移動受信装置における実施例４のＲＬＳアルゴリズムを用いた重み係数を更新するキャリア合成ダイバーシティ部（以下、ＲＬＳ更新型キャリア合成ダイバーシティ部という。）７０−２の構成を示す図である。この実施例４の移動受信装置は、アンテナ部１０、直交復調部２０、重み係数乗算部３０、ＡＦＣ部４０、ＭＥＲ測定部５０、信号選択部６０−１、ＲＬＳ更新型キャリア合成ダイバーシティ部７０−２及びデマッピング部８０から構成される。図１に示した実施例１の移動受信装置１と実施例４の移動受信装置とを比較すると、両装置とも、アンテナ部１０、直交復調部２０、重み係数乗算部３０、ＡＦＣ部４０、ＭＥＲ測定部５０、信号選択部６０−１及びデマッピング部８０を備えている点で同一であるが、実施例４の移動受信装置は、実施例１のキャリア合成ダイバーシティ部７０−１の代わりにＲＬＳ更新型キャリア合成ダイバーシティ部７０−２を備えている点で相違する。以下、実施例１と同一の部分の詳しい説明は省略する。
【００３７】
この実施例４のＲＬＳ更新型キャリア合成ダイバーシティ部７０−２は、図８に示した実施例1のキャリア合成ダイバーシティ部７０−１と同様に、複数の信号から安定した信号を生成する機能を有しているが、キャリア合成ダイバーシティ部７０−１と比べるとＲＬＳアダプティブアルゴリズムを使用して重み係数を更新するため、重み係数が最適化され易く、移動受信によるキャリア間干渉を抑圧できると考えられる。
【００３８】
このＲＬＳ更新型キャリア合成ダイバーシティ部７０−２は、ＳＰ重み係数更新部７１−２、ｍ個の複素乗算部７２−２、加算部７３−２、ｍ個の複素乗算部７４−２、ＳＰ発生部７５−２、誤差計算部７６−２、シンボルフィルタ部７７−２、及びキャリアフィルタ部７８−２から構成される。
【００３９】
ここで、複素乗算部７４−２が信号選択部６０−１から入力するｍ個のＳＰ信号（MRC-SPl,MRC-SP2,・・・,MRC-SPm）は、信号選択部６０−１において、図５に示したＳＰ抽出部５２により抽出されたＭＥＲ−ＳＰのＳＰ信号（図５において、実施例４の場合が示されている信号）を入力して選択された信号を示している。ＲＬＳ更新型キャリア合成ダイバーシティ部７０−２において、複素乗算部７４−２は、入力した各ＭＥＲ−ＳＰに、ＳＰ重み係数更新部７１−２からの初期重み係数を複素乗算し、各ＳＰ合成信号として誤差計算部７６−２に送られる。誤差計算部７６−２は、ＳＰ発生部７５−２により発生した既知のＳＰ信号と前記ＳＰ合成信号との誤差を算出し、その誤差成分がＳＰ重み係数更新部７１−２に送られる。ＳＰ重み係数更新部７１−２は、図１１中の式を用いて、重み係数Ｗ（i）を更新する。
【００４０】
複素乗算部７４−２は、入力したＭＥＲ−ＳＰに、１シンボル区間の全サンプルを計算した後に得られる最終重み係数を複素乗算し、各ＳＰ合成信号を求める。そして、シンボルフィルタ部７７−２は、各ＳＰ合成信号に対して時間方向に内挿処理を行い、キャリアフィルタ部７８−２は、周波数方向に内挿処理を行う。これにより、帯域全体の伝送路特性を求めることができる。複素乗算部７２−２は、各入力信号（MRC-DATAl,MRC-DATA2,・・・,MRC-DATAm）に、シンボルフィルタ部７７−２及びキャリアフィルタ部７８−２により内挿処理された各伝送路特性をそれぞれ複素乗算し、加算部７３−１は、複素乗算された信号を加算する。そして、デマッピング部８０が、ＲＬＳ更新型キャリア合成ダイバーシティ部７０−２からの信号をデマッピングすることにより、出力信号（DATA）を得ることができる。
【００４１】
以上、実施例を挙げて本発明を説明したが、本発明は上記実施例に限定されるものではなく、その技術思想を逸脱しない範囲で種々変形可能である。例えば、実施例４において、移動受信装置は実施例１の信号選択部６０−１を備えるようにしたが、信号選択部６０−１の代わりに、実施例２の信号選択部６０−２を備えるようにしてもよいし、実施例３の信号選択部６０−３を備えるようにしてもよい。
【図面の簡単な説明】
【００４２】
【図１】本発明の移動受信装置における実施例１のシステム構成を示す図である。
【図２】直交復調部の構成を示す図である。
【図３】重み係数乗算部の構成を示す図である。
【図４】ＡＦＣ部の構成を示す図である。
【図５】ＭＥＲ測定部の構成を示す図である。
【図６】周波数方向及び時間方向のＳＰ及びデータの配置を示す配置図である。
【図７】信号選択部の構成を示す図である。
【図８】キャリア合成ダイバーシティ部の構成を示す図である。
【図９】本発明の移動受信装置における実施例２の信号選択部の構成を示す図である。
【図１０】本発明の移動受信装置における実施例３の信号選択部の構成を示す図である。
【図１１】本発明の移動受信装置における実施例４のＲＬＳ更新型キャリア合成ダイバーシティ部の構成を示す図である。
【符号の説明】
【００４３】
１  移動受信装置
１０  アンテナ部
２０  直交復調部
２１  ＢＰＦ部
２２  共通ローカル信号発生部
２３  分配部
２４  直交検波部
２５  ＬＰＦ部
３０  重み係数乗算部
３１  重み係数部
３２  乗算部
３３  加算部
４０  ＡＦＣ部
４１，４２  有効シンボル長遅延部
４３，４４  乗算部
４５，４６  移動平均部
４７  ドップラー周波数計算部
４８  周波数ずれ補正部
５０  ＭＥＲ測定部
５１  ＦＦＴ部
５２  ＳＰ抽出部
５３  ＳＰ発生部
５４  ＳＰ複素除算部
５５  シンボルフィルタ部
５６  キャリアフィルタ部
５７  複素除算部
５８  ＭＥＲ計算部
６０−１〜６０−３  信号選択部
６１−１，６１−２，６１−３  ＭＥＲ判定部
６２−１，６２−２，６２−３，６３−１，６３−２，６３−３  信号選択部
７０−１  キャリア合成ダイバーシティ部
７０−２  ＲＬＳ更新型キャリア合成ダイバーシティ部
７１−１  ダイバーシティ用重み計算部
７１−２  ＳＰ重み係数更新部
７２−１，７２−２  複素乗算部
７３−１，７３−２  加算部
７４−２  複素乗算部
７５−２  ＳＰ発生部
７６−２  誤差計算部
７７−２  シンボルフィルタ部
７８−２  キャリアフィルタ部
８０  デマッピング部
【図１】
2008042855.tif 000003
【図２】
2008042855.tif 000004
【図３】
2008042855.tif 000005
【図４】
2008042855.tif 000006
【図５】
2008042855.tif 000007
【図６】
2008042855.tif 000008
【図７】
2008042855.tif 000009
【図８】
2008042855.tif 000010
【図９】
2008042855.tif 000011
【図１０】
2008042855.tif 000012
【図１１】
2008042855.tif 000013